(57)【要約】【課題】本発明は、アワセ糸をさっと引いてから放すことだけで自動的に巻取がなされて、アワセ糸の巻出長さをユーザの所望の通り調節することができ、多様な操業形態によって釣り合う沈降速度を決めることができ、潮流の流れに乗ることができる自動アワセ機能が備えられた水中浮きを提供するためのものである。【解決手段】本発明は、中空部が形成されたハウジングと、円形に形成されて上記中空部に安着する巻取ロールと、上記巻取ロールの内部に備えられて回転復原力が誘発できるように内側端部がハウジングに固定され、外側端部が上記巻取ロールに固定されるぜんまいばねを含んで構成される巻取部、及び一端が上記巻取ロールの枠外周縁に連結されて上記巻取部の回転によって巻取または巻出され、他端が上記ハウジングの外部に貫通突出するアワセ糸を含んで構成される。【選択図】図２
2015042162.tif 000002
【特許請求の範囲】
【請求項１】
中空部が形成されたハウジングと、
円形に形成されて前記中空部に安着する巻取ロールと、前記巻取ロールの内部に備えられて回転復原力が誘発できるように内側端部がハウジングに固定され、外側端部が前記巻取ロールに固定されるぜんまいばねを含んで構成される巻取部と、
一端が前記巻取ロールの枠外周縁に連結されて前記巻取部の回転によって巻取または巻出され、他端が前記ハウジングの外部に貫通突出するアワセ糸と、を含み、
前記中空部は凹な溝形状のピンガイドを含んで構成され、
前記巻取部は前記ピンガイドに収容されて長手方向に往復動できるように構成され、かつ一端に固定突起が突出形成される棒型の固定ピンをさらに含んで構成され、
前記巻取ロールは、前記ピンガイドと対向する側面に形成されて前記巻取ロールの正回転時、前記固定突起を前記巻取ロールの中心方向に案内する複数の第１ギアと、前記第１ギアの間に形成されて前記巻取ロールの逆回転時、前記固定ピンを前記巻取ロールの外郭方向に案内する第２ギアを含んで構成され、かつ前記第１ギアの一側端部には前記巻取ロールの逆回転時、前記第２ギアにより案内された固定突起が収容されてかかることができるように係止溝が形成されて、
前記アワセ糸を引いて前記巻取ロールを設定間隔正回転させれば、前記固定突起が前記係止溝から離脱して前記巻取ロールの枠内周縁に案内され、前記アワセ糸を放せば前記ぜんまいばねにより前記巻取ロールが逆回転される自動アワセ機能が備えられたことを特徴とする、水中浮き。
【請求項２】
前記固定突起が前記係止溝から容易に離脱できるように、前記固定ピンの他端に備えられるピンスプリングをさらに含み、
前記ピンスプリングの長手方向に備えられて前記ハウジングを貫通して一側が前記ハウジング外部に露出し、締めまたは緩み回転によって前記ピンスプリングの押され程度を調節するように構成される弾性調節部をさらに含むことを特徴とする、請求項１に記載の水中浮き。
【請求項３】
前記ハウジングの内側のうち、前記中空部を基準に下部に備えられ、水より比重の大きい物質で構成されて沈降速度を速くする第１浮力調節体をさらに含むことを特徴とする、請求項１に記載の水中浮き。
【請求項４】
前記ハウジングの内側のうち、前記中空部を基準に上部に備えられ、水より比重の小さい物質で構成されて沈降速度を遅くする第２浮力調節体をさらに含むことを特徴とする、請求項１に記載の水中浮き。
【請求項５】
前記ハウジングの外側下端部に着脱可能に備えられ、水より比重の大きい物質で構成されて沈降速度を速くする第３浮力調節体をさらに含むことを特徴とする、請求項１に記載の水中浮き。
【発明の詳細な説明】
【技術分野】
【０００１】
本発明は、自動アワセ機能が備えられた水中浮きに関し、より詳しくは、アワセ糸をさっと引いてから放すことだけで、自動的に巻取がなされて、アワセ糸の巻出長さをユーザの所望の通り調節することができ、全遊動方式または反遊動方式により釣り合う沈降速度を決めることができ、潮流の流れに乗ることができ、水中浮きとアワセ機能を同時に遂行する自動アワセ機能が備えられた水中浮きに関する。
【背景技術】
【０００２】
海釣りは一般的に釣り針が浮きから２乃至１０ｍ距離に位置し、座台から釣り針まで５０乃至２００ｍの非常に長い距離を維持する場合が多い。このような状況で魚がえさを銜えてアタリをしても遠い距離の浮きの動きを目で把握することが非常に難しく、水面浮きと針との距離が遠くて、針が潮流に乗っている状況で魚のアタリが水面浮きに直ぐ伝達できないという問題があった。この場合、初心者釣り師だけでなく上級釣り師もまた適切な時期にアワセができず魚がえさのみ食べて逃げる状況がたびたび発生した。
【０００３】
また、初心者釣り師の場合、多様な操業形態及び魚特性に従う仕掛けを備えられなくて無条件的な一般釣りをする場合が多くて、釣果が全くない場合が多かった。
【０００４】
このような問題を解決するために、従来には図７に示すように、ハウジング１０の内部に引張スプリング５０及びワイヤースプリング６０が備えられてスライド３０を移動させてワイヤースプリング６０が係止溝１ａにかかって固定されるようにした後、魚がえさを銜えてアタリをすれば、ワイヤースプリング６０が係止溝１ａから離脱してスライド３０の内部に移動し、引張スプリング５０により瞬間的に上部に付き上がることによって、自動的にアワセしようとした。
【０００５】
しかしながら、このような従来の自動アワセ道具はアワセにより移動する距離が２乃至３ｃｍ程度であって、非常に小さい長さだけをアワセすることができ、このような小さい範囲のアワセは大きい魚を主に釣る海釣りには適用し難いだけでなく、むしろ大きい魚の場合、異物感を感じてえさを吐いてしまうため、効果が小さかった。また、このようなコイルスプリング型アワセ道具はアワセをしようとする距離の調節及びアワセに必要なアタリの強度が調節できないので、多様な種類の魚に適用し難いという問題があった。
【０００６】
したがって、別途の操作無しで魚のアタリの時、自動的にアワセが可能であり、多様な操業形態によって浮力を調節して沈降速度を調節することができ、魚の特性に従うアワセ長さ及びアワセに必要な反撥力を調節することができる自動アワセ機能が備えられた水中浮きの開発が必要となった。
【先行技術文献】
【特許文献】
【０００７】
【特許文献０００１】ＫＲ１０−０４５８８０５ Ｂ１（登録番号）２００４年１１月１８日
【発明の概要】
【発明が解決しようとする課題】
【０００８】
本発明の目的は、アワセ糸をさっと引いてから放すことだけで自動的に巻取がなされて、初心者も容易に魚を釣ることができる自動アワセ機能が備えられた水中浮きを提供することにある。
【０００９】
また、本発明の他の目的は、アワセ糸の巻出長さをユーザの所望の通り調節することによって、多様な種類の魚をアワセすることに容易に適用できる自動アワセ機能が備えられた水中浮きを提供することにある。
【００１０】
また、本発明の更に他の目的は、全遊動方式または反遊動方式により釣り合う沈降速度を決めることができる自動アワセ機能が備えられた水中浮きを提供することにある。
【００１１】
また、本発明の更なる他の目的は、潮流の流れに乗ることができる自動アワセ機能が備えられた水中浮きを提供することにある。
【００１２】
また、本発明の更に他の目的は、自動アワセ機能と共に、水中浮きの役割を併行することができる自動アワセ機能が備えられた水中浮きを提供することにある。
【課題を解決するための手段】
【００１３】
本発明は、中空部が形成されたハウジングと、円形に形成されて上記中空部に安着する巻取ロールと、上記巻取ロールの内部に備えられて回転復原力が誘発できるように内側端部がハウジングに固定され、外側端部が上記巻取ロールに固定されるぜんまいばねを含んで構成される巻取部と、一端が上記巻取ロールの枠外周縁に連結されて上記巻取部の回転によって巻取または巻出され、他端が上記ハウジングの外部に貫通突出するアワセ糸を含み、上記中空部は凹な溝形状のピンガイドを含んで構成され、上記巻取部は上記ピンガイドに収容されて長手方向に往復動できるように構成され、かつ一端に固定突起が突出形成される棒型の固定ピンをさらに含んで構成され、上記巻取ロールは、上記ピンガイドと対向する側面に形成されて上記巻取ロールの正回転時、上記固定突起を上記巻取ロールの中心方向に案内する複数の第１ギアと、上記第１ギアの間に形成されて上記巻取ロールの逆回転時、上記固定ピンを上記巻取ロールの外郭方向に案内する第２ギアを含んで構成され、かつ上記第１ギアの一側端部には上記巻取ロールの逆回転時、上記第２ギアにより案内された固定突起が収容されてかかることができるように係止溝が形成されて、上記アワセ糸を引いて上記巻取ロールを設定間隔正回転させれば、上記固定突起が上記係止溝から離脱して上記巻取ロールの枠内周縁に案内され、上記アワセ糸を放せば上記ぜんまいばねにより上記巻取ロールが逆回転される。
【００１４】
また、本発明は、上記固定突起が上記係止溝から容易に離脱できるように、上記固定ピンの他端に備えられるピンスプリングをさらに含み、上記ピンスプリングの長手方向に備えられて上記ハウジングを貫通して一側が上記ハウジングの外部に露出し、締めまたは緩み回転によって上記ピンスプリングの押され程度を調節するように構成される弾性調節部をさらに含む。
【００１５】
また、本発明は、上記ハウジングの内側のうち、上記中空部を基準に下部に備えられ、水より比重の大きい物質で構成されて沈降速度を速くする第１浮力調節体をさらに含む。
【００１６】
また、本発明は、上記ハウジングの内側のうち、上記中空部を基準に上部に備えられ、水より比重の小さい物質で構成されて沈降速度を遅くする第２浮力調節体をさらに含む。
【００１７】
また、本発明は、上記ハウジングの外側下端部に着脱可能に備えられ、水より比重の大きい物質で構成されて沈降速度を速くする第３浮力調節体をさらに含む。
【発明の効果】
【００１８】
本発明は、アワセ糸３００をさっと引いてから放すことだけで自動的に巻取がなされるので、初心者も容易に魚を釣ることができる効果がある。
【００１９】
また、本発明は、アワセ糸３００の巻出長さをユーザの所望の通り調節することができるので、多様な種類の魚をアワセすることに容易に適用することができる効果がある。
【００２０】
また、本発明は、浮力調節体を取付及び脱着することができるので、全遊動方式または反遊動方式により釣り合う沈降速度を決めることができる効果がある。
【００２１】
また、本発明は、羽部１５０を備えて潮流の流れに乗ることができる効果がある。
【００２２】
また、本発明は、自動アワセ機能と共に、水中浮きの役割を併行することができる効果がある。
【図面の簡単な説明】
【００２３】
【図１】本発明の実施形態に従う自動アワセ機能が備えられた水中浮きの斜視図である。
【図２】本発明の実施形態に従う自動アワセ機能が備えられた水中浮きの分離図である。
【図３】本発明の実施形態に従う自動アワセ機能が備えられた水中浮きの他の角度での分離斜視図である。
【図４】本発明の実施形態に従う自動アワセ機能が備えられた水中浮きの断面図である。
【図５】本発明の実施形態に従う自動アワセ機能が備えられた水中浮きのアワセ作動図である。
【図６】本発明の他の実施形態に従う自動アワセ機能が備えられた水中浮きの断面図である。
【発明を実施するための形態】
【００２４】
以下、本発明の実施形態に対して添付した図面を参照して詳細に説明する。
【００２５】
図１は本発明の実施形態に従う自動アワセ機能が備えられた水中浮きの斜視図であり、図２は本発明の実施形態に従う自動アワセ機能が備えられた水中浮きの分離斜視図であり、図３は本発明の実施形態に従う自動アワセ機能が備えられた水中浮きの他の角度での分離斜視図であり、図４は本発明の実施形態に従う自動アワセ機能が備えられた水中浮きの断面図であり、図５は本発明の実施形態に従う自動アワセ機能が備えられた水中浮きのアワセ作動状態図であり、図６は本発明の他の実施形態に従う自動アワセ機能が備えられた水中浮きの断面図である。
【００２６】
図１乃至図６によれば、本発明は中空部１１０が形成されたハウジング１００と、円形に形成されて上記中空部１１０に安着する巻取ロール２１０と、上記巻取ロール２１０の内部に備えられて回転復原力が誘発できるように内側端部がハウジング１００に固定され、外側端部が上記巻取ロール２１０に固定されるぜんまいばね２４０を含んで構成される巻取部２００、及び一端が上記巻取ロール２１０の枠外周縁に連結されて上記巻取部２００の回転によって巻取または巻出され、他端が上記ハウジング１００の外部に貫通突出するアワセ糸３００を含んで構成される。
【００２７】
ハウジング１００は、内側に巻取部２００が収容できるように中空部１１０が形成され、巻取部２００の回転を案内する役割をする。このようなハウジング１００の中空部１１０は、ローラー形状の巻取部２００が収容されて回転案内できるように円形溝形状に形成されることが好ましいが、上部または下部など、一側が外側に一層拡張された構造もまた可能であり、巻取部２００が回転時に遊動されない構造であればいずれでも可能である。
【００２８】
ハウジング１００の中空部１１０のうち、巻取部２００が安着する中心部には、回転軸１２０が突出形成されて巻取部２００の巻取ロール２１０の一側面が貫通できるように構成され、回転軸１２０の一側は切開形成されて巻取部２００のぜんまいばね２４０の内側端部が挿入固定できるように構成される。
【００２９】
一方、中空部１１０の一側面には固定ピン２２０が長手方向に往復動できるように固定ピン２２０を収容する凹な溝形状のピンガイド１３０が形成され、中空部１１０の両側面には内部の空気を外部に排出して水中浮きが迅速に沈降できるように多数の空気排出口１１１が外部に貫通形成される。
【００３０】
また、このようなハウジング１００の内側には中空部１１０を基準に下部に水中浮きの沈降速度を速くまたは遅くする１つ以上の浮力調節体１４０を備えるが、このような浮力調節体はその位置によって第１乃至第３浮力調節体１４３に区分される。
【００３１】
第１浮力調節体１４１はハウジング１００の内側のうち、中空部１１０を基準に下部に備えられ、鉛などの金属またはその他の水より比重の大きい物質で構成されて水中浮きが速く沈降するように重りの役割をし、第１浮力調節体１４１の内部には上下方に溝が貫通形成されて巻取部２００から延びるアワセ糸３００が通過できるように構成される。
【００３２】
一方、ハウジング１００の内側のうち、中空部１１０を基準に上部には水中浮きの沈降速度を遅くする第２浮力調節体１４２が備えられるが、この第２浮力調節体１４２は第１浮力調節体１４１とは反対に、水より比重の小さいスチロフォームなどの材質で形成されて浮袋の役割をし、水中浮きが水中を浮遊しながらゆっくり探索しながら沈降できるようにする。
【００３３】
また、一方、潮流の速い区域または中間層の探索を必要とせず、底付近まで速く水中浮きを沈降させなければならない場合、第１浮力調節体１４１と共にハウジング１００の外側下端部に第３浮力調節体１４３をさらに備えることができる。第３浮力調節体１４３は、第１浮力調節体１４１と同様に水より比重の大きい物質で構成され、三角または半円型に形成されてハウジング１００の下端部の複数の側面に締結または接着などの方式により結合することができる。
【００３４】
このような水中浮きの沈降時にはハウジング１００が海水を切りながら沈降しなければならないが、図面のように流線型に製作したハウジング１００としても、海水がハウジング１００の外側面に沿って移動することには大きな抵抗力が発生するようになる。したがって、このような抵抗力を減少させるためにハウジング１００の内側には上下方に複数の内部ホール１０１が貫通形成され、ハウジング１００の外側には複数の外部溝１０２が外側面の上下に切開された形態に形成できる。
【００３５】
一方、釣法によってハウジング１００が潮流に乗ることができるように流体の流れを案内することができる形状を有する必要があるが、このためにハウジング１００の相互対向する外側面に各々半円型板形状の羽部１５０が備えられることによって、潮流の流れによってハウジング１００の側面を整列させて潮流の流れに乗ることができるように構成される。
【００３６】
巻取部２００はぜんまいばね２４０が内蔵されて正回転または逆回転しながらアワセ糸３００を巻出または巻取する役割をし、このためにハウジング１００の中空部１１０の内側に備えられ、外周縁の一側にアワセ糸３００が連結されて巻取される。
【００３７】
このために、巻取部２００は、円形に形成されてハウジング１００の中空部１１０に安着する巻取ロール２１０と、巻取ロール２１０の内部に備えられて回転復原力が誘発できるように内側端部がハウジング１００の回転軸１２０に固定され、外側端部が巻取ロール２１０に固定されるぜんまいばね２４０と、ハウジング１００のピンガイド１３０に収容されて長手方向に往復可能に備えられ、かつ一側端部に巻取ロール２１０の回転を抑制する固定突起２２１が突出した固定ピン２２０及びハウジング１００のピンガイド１３０と対向する側面に形成されて、正回転時、固定突起２２１を内側に案内し、逆回転時、固定突起２２１を外側に案内し、かつ外側に案内される固定突起２２１がかかって固定できるように係止溝が形成されたギア部２３０を含んで構成される。
【００３８】
より詳しくは、巻取ロール２１０は円形のロールベース２１１とロールベース２１１の枠から延長形成される円筒形の巻取ガイド２１２を含んで構成され、ロールベース２１１の中心部はホールが形成されて、ハウジング１００の回転軸１２０に貫通挿入されて回転可能に備えられ、巻取ガイド２１２の内周縁にはぜんまいばね２４０の外側端部が固定されて巻取ロール２１０の回転によってぜんまいばね２４０が回転復原力を蓄積または放出できるように構成される。一方、巻取ガイド２１２の外周縁はアワセ糸３００が安定的に巻取または巻出できるように両側面がレール形態に突出形成されることが好ましく、ロールベース２１１には巻取ロール２１０の内部の空気を外側に迅速に排出できるように複数のホールが貫通形成されることが好ましい。
【００３９】
ぜんまいばね２４０はロール形態に巻き取られた弾性スプリングであって、巻取ロール２１０の内部に備えられて、その内側端部はハウジング１００の回転軸１２０の切開部に挿入されて固定され、外側端部は巻取ロール２１０の内側の固定溝にかかって固定されることによって、アワセ糸３００を巻出して巻取ロール２１０が正回転しながら回転復原力を蓄積してからアワセ糸３００を放せば回転復原力を放出して巻取ロール２１０を逆回転させることによって、巻取ロール２１０がアワセ糸３００を巻取できるようにする。
【００４０】
固定ピン２２０はハウジング１００のピンガイド１３０に収容されて長手方向に往復可能に備えられ、一側端部に巻取ロール２１０の回転を抑制する固定突起２２１が突出形成される。このような固定ピン２２０は、巻取ロール２１０の正回転時、巻取ロール２１０のギア部２３０との面摩擦によりハウジング１００の下部から上部に移動し、このためにハウジング１００のピンガイド１３０は回転軸１２０から一側に偏るように形成される。このような固定ピン２２０の上方への移動時に固定ピン２２０に突出した固定突起２２１は巻取ロール２１０の巻取ガイド２１２の内周縁から離隔するようになるが、この際、巻取ロール２１０に形成されたギア部２３０により巻取ロール２１０の中心方向に案内されるようになる。
【００４１】
ギア部２３０はロールベース２１１の一側面に突出形成され、巻取ロール２１０の正回転時、固定突起２２１を巻取ロール２１０の中心方向に案内する複数の第１ギア２３１と、第１ギア２３１の間に形成されて巻取ロール２１０の逆回転時、固定ピン２２０を巻取ロール２１０の外郭方向に案内する第２ギア２３２を含んで構成される。
【００４２】
第１ギア２３１は三角形状の平面を有するように突出形成され、ロールベース２１１の中心部に向かって湾曲した形状を帯びる。このような第１ギア２３１は、一面が巻取ガイド２１２の内周縁と一定間隔離隔するように形成され、他の一面は巻取ガイド２１２と対向する一面から徐々に遠ざかってロールベース２１１の中心部に向かうように形成される。また、第１ギア２３１は更に他の一面に固定突起２２１がかかることができるように係止溝が形成され、即ち、第１ギア２３１は巻取ガイド２１２と対向する面、ロールベース２１１の中心部に向かう面、係止溝が形成される面で構成される三角形状を帯びるようになる。
【００４３】
第２ギア２３２は三角形状または半円形状の平面を有するように第１ギア２３１の間に突出形成され、ロールベース２１１の中心部に向かって湾曲した形状を帯びる。このような第２ギア２３２はロールベース２１１の中心部方向の一面と、巻取ガイド２１２の方向の他の一面を含んで構成され、第１ギア２３１の巻取ガイド２１２と対向する面とロールベース２１１の中心部に向かう面とが接してなす尖部と第２ギア２３２の巻取ガイド２１２と対向する面とロールベース２１１の中心部に向かう面とが接してなす尖部は互いに反対方向を指す形状に形成される。
【００４４】
第２ギア２３２のロールベース２１１の中心部方向の一面は第１ギア２３１の係止溝が形成される面と一部対向するように配置され、巻取ガイド２１２の方向の一面は他の第１ギア２３１のロールベース２１１の中心部に向かう面と一部対向するように配置される。即ち、第１ギア２３１と第２ギア２３２は、後続するギアにより一部が覆いかぶせられる形態に連続するように配置され、この重なった部分が相互離隔した形態になる。
【００４５】
このような第１ギア２３１と第２ギア２３２の各面に対する用語のうち、巻取ガイド２１２と対向している面を第１面、ロールベース２１１の中心部と対向する面を第２面、第１面と第２面との間の面を第３面と称する時、巻取ロール２１０の正回転時、即ち、アワセ糸３００の引出し時、固定ピン２２０は図５の＜ａ＞に示すようにギア部２３０との摩擦により移動して固定突起２２１が巻取ガイド２１２の内周縁から離隔して第１ギア２３１の第２面に安着し、この際、巻取ロール２１０がさらに回転することによって第１ギア２３１の第２面により案内されてロールベース２１１の中心部方向に移動する。この状態でアワセ糸３００を続けて引き出して巻取ロール２１０をさらに回転させても固定突起２２１は第１ギア２３１の第２面、第２ギア２３２の第２面に沿って続けて案内されるので、特別な抵抗無しで巻取ロール２１０を回転させることができるようになる。
【００４６】
以後、アワセ糸３００の引出しが完了すれば、アワセ糸３００をさっと放して巻取部２００を逆回転させれば、固定ピン２２０は図５の＜ｂ＞のように重力または巻取部２００との摩擦により巻取ガイド２１２の方向に移動し、この過程で固定突起２２１は第２ギア２３２の第２面により案内されて第２ギア２３２の第２面と対向している第１ギア２３１の第３面に到達する。そして、巻取部２００をもう少し逆回転させれば、固定突起２２１は第１ギア２３１の第３面に形成された係止溝にかかって固定され、巻取部２００もまた固定突起２２１によりこれ以上回転できないままに固定されるようになる。この際、巻取部２００が固定突起２２１により確実に固定されるようにするために、固定ピン２２０の形状を巻取部２００の逆回転方向に折れた形状に形成することができ、この場合、ピンガイド１３０の下端部は固定ピン２２０の折れた部分が上下往復動可能に広く形成することができる。
【００４７】
このような固定作業が完了した後、図５の＜ｃ＞のように、アワセ糸３００をさっと引いて巻取部２００を正回転させれば、固定突起２２１が第１ギア２３１の係止溝から離脱して重力により下降するか、または第２ギア２３２の第３面により案内されて下降し、巻取ガイド２１２の内周縁に密着するようになる。以後、アワセ糸３００を放せば、ぜんまいばね２４０の回転復原力により巻取部２００が逆回転し、アワセ糸３００を巻き取るようになる。この場合、固定ピン２２０とギア部２３０との回転摩擦力により固定突起２２１は巻取ガイド２１２の内周縁に密着した状態を維持するようになって、回転に妨害を与えなくなる。このようなアワセ糸３００を引いてから放す過程は、実際の釣りでは魚がえさを銜えて頭を回す過程で発生するアタリの過程と同一であり、アタリの時、固定突起２２１が係止溝から離脱してぜんまいばね２４０により瞬間的にアワセが可能になる。この場合、アワセ糸３００の巻取長さは５０センチ位であって、海釣りに特化されることが好ましいが、アワセ糸３００を最後まで巻出しなくてもぜんまいばね２４０及びギア部２３０によりアワセ糸３００の巻出する程度を可変することによって、淡水釣りにも適用可能になる。
【００４８】
一方、このような第１ギア２３１及び第２ギア２３２は、その数をより多くすることで、固定突起２２１が案内できる面を細分化することができ、第１ギア２３１及び第２ギア２３２の数が多いほど小さい動作でも固定突起２２１を係止溝にかけて固定できるようになる。
【００４９】
一方、小さい魚などを釣る時、魚の力が弱くて巻取ロール２１０を設定された間隔だけ正回転させることができない場合、自動アワセが困難なことがある。このような場合、第１ギア２３１の係止溝の角度を緩やかにして小さい回転でも固定突起２２１が係止溝を離脱するようにすることができ、固定ピン２２０の他端にピンスプリング２２２を備えて固定ピン２２０が係止溝をある程度離脱した場合、ピンスプリング２２２により一気に離脱するようにすることによって、小さい力のアタリでも無難に自動アワセが可能であるようにすることができる。
【００５０】
しかしながら、前述した構成の場合、釣ろうとする魚の種類によって、互いに異なる水中浮きを各々備えなければならない不便性が伴うことがある。したがって、釣ろうとする魚の種類によって自動アワセに要求されるアタリの強度を可変しなければならないが、本発明ではこのためにピンスプリング２２２の弾性を調節する弾性調節部２２３をさらに備えることができる。
【００５１】
弾性調節部２２３は、ピンスプリング２２２の長手方向に備えられてハウジング１００を貫通して一側がハウジング１００に外部に露出するように構成され、外側にネジ山が形成されたボルト形態であって、これを締める、または緩む回転動作によりハウジング１００の内部方向に挿入されるか、ハウジング１００の外方に移動することによって、ピンスプリング２２２の押され程度を調節する。したがって、大きい魚を釣る時にはハウジング１００の外部に突出させてピンスプリング２２２の圧縮程度を小さくすることで、魚のアタリ力だけでアワセ糸３００を引くことができるようにし、小さい魚を釣る時にはハウジング１００の内部に挿入されてピンスプリング２２２の圧縮程度を大きくすることで、魚の小さいアタリだけでも固定突起２２１が係止溝を離脱して自動的にアワセが可能であるようにすることができる。
【符号の説明】
【００５２】
１００    ハウジング
１１０    中空部
１２０    回転軸
１３０    ピンガイド
１４０    浮力調節体
１５０    羽部
２００    巻取部
２１０    巻取ロール
２２０    固定ピン
２２１    固定突起
２３０    ギア部
２４０    ぜんまいばね
３００    アワセ糸
【図１】
2015042162.tif 000003
【図２】
2015042162.tif 000004
【図３】
2015042162.tif 000005
【図４】
2015042162.tif 000006
【図５】
2015042162.tif 000007
【図６】
2015042162.tif 000008